(57)【要約】  水素生成装置（１００）は、原料中の硫黄化合物を吸着除去する脱硫剤を有する脱硫器（４）と、原料から水素含有ガスを生成する改質触媒を有する改質器（１）と、改質器（１）を加熱する燃焼器（５）と、燃焼器（５）において原料への着火を起こす着火器（１０３）と、を備え、脱硫器（４）を通過した原料を用いて燃焼器（５）の燃焼を開始するよう構成されており、着火器（１０３）による着火確認時間の上限を変更する上限変更器（８）と、当該変更の指示に関連する信号を取得する変更指示取得器（１０１）とを備える。
2007148699.tif 000002
【特許請求の範囲】
【請求項１】
原料中の硫黄化合物を吸着除去する脱硫剤を有する脱硫器と、
原料から水素含有ガスを生成する改質触媒を有する改質器と、
前記改質器を加熱する燃焼器と、
前記燃焼器において前記原料への着火を起こす着火器と、を備え、
前記脱硫器を通過した前記原料を用いて前記燃焼器の燃焼を開始するよう構成された水素生成装置であって、
前記着火器の着火確認時間の上限を変更する上限変更器と、前記変更の指示に関連する信号を取得する変更指示取得器とを備えることを特徴とする水素生成装置。
【請求項２】
前記変更指示取得器が、前記脱硫器の交換に関連する信号を取得する交換信号取得器であり、前記交換信号取得器により前記脱硫器の交換に関連する信号が取得された場合、前記上限変更器が前記着火確認時間の上限を上げることを特徴とする請求項１記載の水素生成装置。
【請求項３】
請求項１または２記載の水素生成装置と、前記水素生成装置より供給される水素含有ガスを用いて発電する燃料電池とを備えることを特徴とする燃料電池システム。
【請求項４】
原料中の硫黄化合物を吸着除去する脱硫剤を有する脱硫器と、
前記脱硫器を通過した原料から水素含有ガスを生成する改質触媒を有する改質器と、  
前記改質器を加熱する燃焼器と、
前記燃焼器において前記原料への着火を起こす着火器と、を備え、
前記脱硫器を通過した前記原料を用いて前記燃焼器の燃焼を開始するよう構成された水素生成装置の運転方法であって、
前記脱硫器の交換後に、前記着火器の着火確認時間の上限を上げるとともに、前記上げられた着火確認時間の上限に基づき前記着火器の着火動作を行うことを特徴とする水素生成装置の運転方法。
【請求項５】
原料中の硫黄化合物を吸着除去する脱硫剤を有する脱硫器と、前記脱硫器を通過した原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された水素生成装置と、
前記水素生成装置より供給される水素含有ガスを用いて発電を行う燃料電池と、
を備える燃料電池システムの運転方法であって、
前記脱硫器の交換後に、前記着火器の着火確認時間の上限を上げるとともに、前記上げられた着火確認時間の上限に基づき前記着火器の着火動作を行うことを特徴とする燃料電池システムの運転方法。
【発明の詳細な説明】
【技術分野】
【０００１】
本発明は、硫黄化合物を吸着除去する脱硫器を有し、脱硫器を通過した原料から改質反応により水素含有ガスを生成する水素生成装置およびこれを備える燃料電池システム並びにこれらの運転方法に関する。
【背景技術】
【０００２】
小型装置でも高効率発電が可能な燃料電池は、分散型エネルギー供給源の発電装置として開発が進められている。燃料電池の発電時の燃料として用いられる水素ガスは、一般的なインフラとして整備されていない。このため、例えば、都市ガス、ＬＰＧ等の既存化石原料インフラから得られる原料から水素含有ガスを生成させる水素生成装置を、燃料電池に併設する構成がとられる。水素生成装置は、原料と水とを改質反応させる改質器、水素含有ガス中の一酸化炭素濃度を低減するために一酸化炭素と水蒸気を水性ガスシフト反応させる変成器、および一酸化炭素を主に微量空気等の酸化剤で酸化させるＣＯ除去器を設ける構成がとられることが多い。また、それらの反応部には、各反応に適した触媒、例えば、改質器にはＲｕ触媒やＮｉ触媒、変成器にはＣｕ−Ｚｎ触媒、ＣＯ除去器にはＲｕ触媒等が用いられている。【０００３】
ところで、上記既存インフラとしての都市ガスやＬＰＧは、配管等からの原料の漏れを検知する目的で硫黄化合物系の付臭剤が添加されている。それら硫黄化合物系の付臭剤は、水素生成装置に用いる前記触媒の被毒成分となるため、あらかじめ付臭剤を除去する脱硫器を水素生成装置に設けることが一般的である。【０００４】
例えば、ゼオライト系吸着脱硫剤を用いた吸着型脱硫器で原料中の硫黄化合物を除去する方法が考案されている（例えば、特許文献１参照）。【０００５】
また、この吸着型脱硫器は、常温状態で硫黄化合物を吸着除去できるため、水添型脱硫器と比較して水素生成装置の起動性が優れるが、原料中の硫黄化合物は常に供給され、使用期間が長くなると、脱硫器の吸着脱硫能力は低下する。つまり、脱硫器の吸着脱硫能力（吸着容量）には限界があるので、長期使用時には脱硫器の交換が前提となる。そこで、脱硫器の交換時期を容易に判定可能なインジケーター機能付きの脱硫器が提案されている（例えば、特許文献２参照）。【０００６】
また、水素生成装置は、通常、改質器内の触媒の温度を触媒反応に適したレベルにまで昇温できる燃焼器を備えており、水素生成装置の起動動作において、原料インフラから供給され、脱硫器を通過した原料により改質器内をパージして、当該パージ後の原料を用いて燃焼器の燃焼がなされている（例えば、特許文献３参照）。
【特許文献１】特開２００４−２２８０１６号公報
【特許文献２】特開２００２−３５８９９２号公報
【特許文献３】特開２００５−２０６３９５号公報
【発明の開示】
【発明が解決しようとする課題】
【０００７】
さて、上記特許文献２に記載の水素生成装置のように、吸着型脱硫器の吸着容量に限界があるので、脱硫器の交換が不可欠であるが、脱硫器の交換後に、上記特許文献３に記載の水素生成装置のように脱硫器を通過した原料を用いて燃焼器の燃焼がなされる場合、脱硫剤での原料吸着が起こり、脱硫器を通過した原料の燃焼器への供給流量が一時的に少なくなり、燃焼器での燃焼状態が不安定になることがある。その結果、例えば、通常の燃焼検知判断基準を適用した場合、脱硫器の原料吸着による燃焼器の不安定燃焼を、燃焼器の他の要因による燃焼不良と誤判定するという不都合が生じることが予測される。【０００８】
本発明は、このような事情に鑑みてなされたものであり、吸着型脱硫器を通した原料を用いて燃焼器の燃焼開始がなされる場合に、脱硫器の交換後の起動動作においても燃焼不良と誤判定することなく適切に燃焼動作を開始可能な水素生成装置およびこれを備える燃料電池システム並びにこれらの運転方法を提供することを目的とする。
【課題を解決するための手段】
【０００９】
上記課題を解決するために、本発明の水素生成装置は、原料中の硫黄化合物を吸着除去する脱硫剤を有する脱硫器と、原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された装置であって、前記着火器の着火確認時間の上限を変更する上限変更器と、前記変更の指示に関連する信号を取得する変更指示取得器とを備えている。【００１０】
また、前記変更指示取得器は、前記脱硫器の交換に関連する信号を取得する交換信号取得器であってもよく、前記交換信号取得器により前記脱硫器の交換に関連する信号が取得された場合、前記上限変更器が前記着火確認時間の上限を上げてもよい。【００１１】
これらの構成により、吸着型脱硫器を通した原料を用いて燃焼器の燃焼開始がなされる場合に、脱硫器の交換後の水素生成装置の起動動作においても燃焼不良と誤判定することなく適切に燃焼動作を開始することができる。【００１２】
また、本発明の燃料電池システムは、上記本発明の水素生成装置と、前記水素生成装置より供給される水素含有ガスを用いて発電する燃料電池とを備えてもよい。【００１３】
また、本発明の水素生成装置の運転方法は、原料中の硫黄化合物を吸着除去する脱硫剤を有する脱硫器と、前記脱硫器を通過した原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された水素生成装置の運転方法であって、前記脱硫器の交換後に、前記着火器の着火確認時間の上限を上げるとともに、前記上げられた着火確認時間の上限に基づき前記着火器の着火動作を行うことを特徴とする。【００１４】
また、本発明の燃料電池システムの運転方法は、原料中の硫黄化合物を吸着除去する脱硫剤を有する脱硫器と、前記脱硫器を通過した原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された水素生成装置と、前記水素生成装置より供給される水素含有ガスを用いて発電を行う燃料電池と、を備える燃料電池システムの運転方法であって、前記脱硫器の交換後に、前記着火器の着火確認時間の上限を上げるとともに、前記上げられた着火確認時間の上限に基づき前記着火器の着火動作を行うことを特徴とする。【００１５】
これらの運転方法により、吸着型脱硫器を通した原料を用いて燃焼器の燃焼開始がなされる場合に、脱硫器の交換後の水素生成装置および燃料電池システムの起動動作においても、燃焼不良と誤判定することなく適切に燃焼動作を開始することができる。【００１６】
本発明の上記目的、他の目的、特徴、及び利点は、添付図面参照の下、以下の好適な実施態様の詳細な説明から明らかにされる。
【発明の効果】
【００１７】
本発明によれば、吸着型脱硫器を通過した原料を用いて燃焼器の燃焼開始がなされる場合に、脱硫器の交換後の起動動作においても燃焼不良と誤判定することなく適切に燃焼動作を開始可能な水素生成装置およびこれを備える燃料電池システム並びにこれらの運転方法が得られる。
【図面の簡単な説明】
【００１８】
【図１】図１は、本発明の実施の形態における燃料電池システムの構成例を示したブロック図である。
【図２】図２は、図１の燃焼器の構成例を説明するための模式図である。
【図３】図３は、脱硫器交換を想定しない場合の燃焼器の着火シーケンスの一例を示したフローチャートである。
【図４】図４は、脱硫器交換を想定しない場合の燃焼器の着火シーケンスの他の例を示したフローチャートである。
【図５】図５は、着火器による着火動作の際のフレームロッド出力の経時変化の一測定例を示した図である。
【図６】図６は、脱硫器交換を想定した場合の燃焼器の着火シーケンスの一例を示したフローチャートである。
【図７】図７は、図６の着火シーケンスにおける変更指示取得器の操作画面の一例である交換信号取得器を示した図である。
【図８】図８は、脱硫器交換を想定した場合の燃焼器の着火シーケンスの他の例を示したフローチャートである。
【図９】図９は、図８の着火シーケンスにおける変更指示取得器の操作画面の一例を示した図である。
【図１０】図１０は、燃焼器の着火シーケンスの変形例を示したフローチャートである。
【図１１】図１１は、燃焼器の着火シーケンスの他の変形例を示したフローチャートである。
【符号の説明】
【００１９】
１  改質器
２  水供給器
３  原料供給器
４  脱硫器
４ａ  閉止弁
５  燃焼器
６  燃焼ファン
７  燃料電池
８  制御器
９  ガスインフラライン
１０  水素ガス供給経路
１１  オフガス経路
１２  流路変更弁
５０  ディストリビュータ
５１  空気室
５２  燃焼空間
５３  壁部
１０１  変更指示取得器
１０２  燃焼検知器（フレームロッド；ＦＲ）
１０３  着火器
１００  水素生成装置
２００  燃料電池システム
【発明を実施するための最良の形態】
【００２０】
以下、本発明の好ましい実施の形態を、図面を参照しながら説明する。【００２１】
図１は、本発明の実施の形態における燃料電池システムの構成例を示したブロック図である。図１に示すように、燃料電池システム２００の主要な構成要素として、水素生成装置１００および燃料電池７がある。【００２２】
水素生成装置１００は、メタンを主成分とする都市ガス、天然ガス、ＬＰＧ等の炭化水素、メタノール等のアルコール、あるいはナフサ成分等の少なくとも炭素及び水素から構成される有機化合物を含む原料と、水蒸気との改質反応を主に進行させ、水素含有ガスを生成できる装置である。この水素生成装置１００は、Ｒｕ系の改質触媒を充填した改質器１の他、改質器１で生成した水素含有ガス中の一酸化炭素を水蒸気変成反応させるＣｕ−Ｚｎ系変成触媒を設けた変成器、および、変成器通過後の水素含有ガス中に残留する一酸化炭素を、主に酸化により低減するＲｕ系触媒を設けたＣＯ除去器を備えてもよい（但し、変成器およびＣＯ除去器の図示およびこれらの詳細説明は省略する）。【００２３】
また、水素生成装置１００は、図１に示すように、上述の改質器１の他に、水供給器２と、原料供給器３と、脱硫器４と、燃焼器５と、制御器８と、変更指示取得器１０１と、を備えている。【００２４】
水供給器２は、改質器１に供給する水の流量調整機能を有する機器である。この水は、改質反応に必要な水蒸気を生成するのに用いられる。水供給器２として、市水、水タンク等に例示される水供給源（図示せず）からの水の供給量を調節する弁、流量調節器、ポンプ等が用いられている。本実施の形態では、市水を活性炭及びイオン交換樹脂（何れも図示せず）を通して浄化させた浄化水が、水供給器２により改質器１に供給されている。【００２５】
原料供給器３は、改質器１へ原料を供給する流量調整機能を有する機器（例えば、弁や流量調整器）である。なお、図１に示すように、原料供給器３と改質器１との間の経路と、迂回経路４ｄとの間の接続部に配された流路変更弁４ｃ（例えば三方弁）を用いて、原料供給器３から排出された原料を、改質器１を経ることなく、迂回経路４ｄに流して、後述の燃焼器５に直接送ることもできる。【００２６】
脱硫器４は、硫黄化合物の吸着剤であるゼオライト（本実施の形態では、東ソー社製ゼオラムＦ−９を用いた）を充填した吸着型の脱硫機能を有し、一対の閉止弁４ａのそれぞれが、脱硫器４の出入口としての両端のそれぞれに設けられ、その一方が原料の供給源となるガスインフラライン９と接続され、その他方が原料供給器３と接続されている。そして、これらの閉止弁４ａを開くことにより、ガスインフラライン９から供給され、硫黄化合物系の付臭剤が含有された原料は、脱硫器４において当該硫黄化合物が吸着除去された後、原料供給器３に送られる。【００２７】
燃焼器５は、改質器１の改質触媒に改質反応に必要な熱を、高温の燃焼ガスを介して供給する火炎バーナー構造の機器である。この燃焼器５には、燃焼検知器１０２と、着火器１０３と、燃焼空気供給用の燃焼ファン６と、が配されている。なお、燃焼器５の詳細な構成は後述する。【００２８】
制御器８は、マイクロプロセッサ（ＣＰＵ）などにより構成され、図１に示すように、燃料電池システム２００（水素生成装置１００）の動作を制御できるとともに、半導体メモリー等の内部メモリーを用いて燃料電池システム２００の運転パラメータや制御プログラムを記憶できる。つまり、制御器８（ＣＰＵ）は、変更指示取得器１０１および燃焼検知器１０２の出力信号、並びに、図示しない温度センサや圧力センサの出力信号を受け取り、これらの信号に基づいて原料供給器３、水供給器２、燃焼ファン６および着火器１０３、並びに、各種の弁４ａ、４ｃ、１２の動作を適切に制御している。【００２９】
変更指示取得器１０１は、燃焼器５の燃焼開始時の着火確認時間の上限の変更指示に関連する信号を取得するように構成されている。本実施の形態では、この変更指示取得器１０１は、タッチパネル式の操作画面を有しており、メンテナンスオペレータもしくはユーザー（以下、「作業者」と略す）の指や専用のペンによる所定の画面タッチ操作により、上述の信号を取得することができる。なお、この変更指示取得器１０１の詳細は、後述する。【００３０】
また、固体高分子型の燃料電池７は、図１に示すように、アノード７ａおよびカソード７ｃを有し、水素ガス供給経路１０を介して水素生成装置１００からアノード７ａに供給される水素ガスと、適宜の酸化剤ガス供給器（図示せず）からカソード７ｃに供給される酸化剤ガスと、を用いて発電するように構成されている。但し、燃料電池７の構成は公知であり、その詳細な図示および説明は省略する。なお、燃料電池７の発電時に余剰になった水素オフガスは、アノード７ａから排出され、オフガス経路１１を通して燃焼器５に供給する構成となっている。また、図１に示すように、水素ガス供給経路１０とオフガス経路１１との間を短絡できる短絡経路、および、この短絡経路と水素ガス供給経路１０との間の接続部に配された流路変更弁１２（例えば三方弁）が設けられている。これにより、水素生成装置１００の起動時などに、水素生成装置１００の内部（ここでは、改質器１や図示しない変成器およびＣＯ除去器の内部）を、原料供給器３から供給される可燃性の原料ガスを用いてパージ処理する際に、パージ処理後の可燃ガス（原料ガスや水素ガス）を、燃料電池７を経由させずに、燃焼器５に直接送り、この燃焼器５で燃焼処理できる。【００３１】
次に、燃焼器５の構成を詳細に説明する。【００３２】
図２は、図１の燃焼器の構成例を説明するための模式図である。【００３３】
図２に示すように、燃焼器５の管状のディストリビュータ５０は、上述の迂回経路４ｄやオフガス経路１１に連通しており、可燃成分（例えば原料）を燃焼空間５２に噴出できる多数の噴出孔５０Ａを有している。これにより、ディストリビュータ５０内を流れる可燃成分は、噴出孔５０Ａにより分散して燃焼空間５２に噴出される。【００３４】
また、燃焼器５の空気室５１は、壁部５３を介して上述の燃焼ファン６の内部に連通しており、燃焼ファン６から圧送される空気を燃焼空間５２に噴出できる多数の噴出孔５１Ａを有している。これにより、空気室５１内の空気は、噴出孔５１Ａにより分散して燃焼空間５２に噴出される。【００３５】
このようにして、燃焼空間５２には、可燃成分および空気が適切な混合比となるように供給される。【００３６】
なお、上述の着火器１０３は、図２に示すように、ディストリビュータ５０の先端に配されて、これにより、燃焼空間５２に存在する可燃成分への着火を起こすことができる。本実施の形態では、着火器１０３として、圧電放電を利用したイグナイターが用いられている。【００３７】
また、燃焼検知器１０２は、燃焼空間５２に配されており、これにより、燃焼器５の火炎燃焼の状態を検知することができる。本実施の形態では、燃焼検知器１０２として、燃焼空間５２中の荷電粒子のイオン電流量を測定するフレームロッド（ＦＲ）が用いられている（以下、「燃焼検知器１０２」を「フレームロッド１０２」という）。【００３８】
次に、本実施の形態の水素生成装置１００および燃料電池システム２００（以下、「水素生成装置１００等」という）の起動動作の一例について説明する。【００３９】
まず、脱硫器４の交換を想定しない場合の燃焼器５の着火シーケンスについて述べる。【００４０】
図３は、脱硫器交換を考慮しない場合の燃焼器の着火シーケンスの一例を示したフローチャートである。【００４１】
図４は、脱硫器交換を考慮しない場合の燃焼器の着火シーケンスの他の例を示したフローチャートである。【００４２】
最初に、図３の着火シーケンスの内容について説明する。【００４３】
当該着火シーケンスでは、制御器８の内部メモリーに保存された制御プログラムが、制御器８のＣＰＵに読み込まれる。そして、この制御プログラムにより制御されるＣＰＵが、水素生成装置１００等の各種機器を制御しながら、以下の処理を実行する。なお、制御器８の内部メモリーには、着火器１０３の「着火確認時間」の上限に相当する上限着火回数「ＮＭＡＸ」、および、燃焼器５の燃焼判定の閾値（この一例として、後述の図５を参照）に相当するフレームロッド１０２から出力される「設定値」が、予め記憶されているものとする。【００４４】
燃焼ファン６の作動がＯＮされ（ステップＳ３０１）、これにより、燃焼ファン６から燃焼空間５２への燃焼用空気の供給が開始する。【００４５】
次に、着火トライ回数を表す「Ｎ」が「ゼロ（０）」にリセットされ、その後、この「Ｎ」に「１」が加算される（ステップＳ３０２、Ｓ３０３）。これにより、以下の如く、着火器１０３による第１回目の着火動作がなされる。【００４６】
燃焼空間５２への燃焼用空気の供給開始時から所定のタイマー時間（ここでは８秒）が経つと、着火器１０３の作動がＯＮされ（ステップＳ３０４、Ｓ３０５）、燃焼空間５２にスパーク放電が発生する。【００４７】
この状態で、所定のタイマー時間（ここでは２秒）が経つと、原料供給器３より迂回経路４ｄを介して燃焼空間５２への原料供給が開始される（ステップＳ３０６、Ｓ３０７）。つまり、ディストリビュータ５０を流れる適量の原料が、噴出孔５０Ａを介して、燃焼空間５２に噴出され、これにより、原料と燃焼空気との混合気が燃焼範囲に入り、燃焼空間５２において火炎が形成できる状態になる。【００４８】
そして、燃焼空間５２への原料の供給開始時から所定のタイマー時間（ここでは２０秒）が経つと、着火器１０３の作動がＯＦＦされる（ステップＳ３０８、Ｓ３０９）。【００４９】
ここで、フレームロッド１０２の出力が、燃焼器５の燃焼判定の閾値に相当する「設定値」を超えているか否かが判定される（ステップＳ３１０）。【００５０】
このように、フレームロッド１０２の出力としての荷電粒子のイオン電流量を用いて、燃焼器５における適切な火炎形成の有無が判定される。【００５１】
フレームロッド１０２の出力が当該「設定値」を超えていれば（ステップＳ３１０において「ＹＥＳ」）、着火器１０３により原料が着火していると判定される（ステップＳ３１３）。【００５２】
なお、上述の出力（イオン電流量）については、所定期間に亘り一定値に維持されることも確認され、これにより、燃焼器５での燃焼の安定性が適切に確保される。【００５３】
そして、この場合、水素生成装置１００等の通常運転に入り、水供給器２により水が改質器１に供給されるとともに、流路変更弁４ｃが改質器１側に切替えられ、原料供給器３により原料が改質器１に供給される。これにより、改質器１の内部において、水蒸気改質反応により原料と水蒸気から水素含有ガスが生成される。なお、水供給量は、単位時間当たりに供給される水量中の水分子のモル数が単位時間当たりに供給される原料量中の原料平均組成の炭素原子のモル数の３倍となるように調整されている。本実施の形態では、メタンを主成分とする都市ガスを原料とし、都市ガスの平均組成において１モルの炭素原子に対して、３モルの水蒸気が存在するよう、水供給量が設定されている（スチームカーボン比（Ｓ／Ｃ）＝３）。そして、改質器１から排出された水素含有ガスに対して、変成器において水性ガスシフト反応、および、ＣＯ除去器において一酸化炭素の選択酸化反応が施され、これにより、一酸化炭素濃度が約２０ｐｐｍ以下となる水素ガスが生成される。この水素ガスは、水素ガス供給経路１０を介して燃料電池７のアノード７ａに供給され、燃料電池７の発電用の反応ガスとして使用される。【００５４】
一方、ステップＳ３１０において、フレームロッド１０２の出力が当該「設定値」以下であれば、着火器１０３により原料が着火していない（着火ミス）と判定される。【００５５】
この場合、原料供給器３を用いた燃焼空間５２への原料供給が停止される（ステップＳ３１１）。そして、着火トライ回数を表す「Ｎ」が、上限着火回数「ＮＭＡＸ」を下回るか否かが判定される（ステップＳ３１２）。【００５６】
着火トライ回数を表す「Ｎ」が、上限着火回数「ＮＭＡＸ」を下回っていれば（ステップＳ３１２において「ＹＥＳ」）、ステップＳ３０３に戻り、次回の着火トライ動作が行われる。なお、ステップＳ３１１において原料供給が停止されると、燃焼空間５２に引き続き供給される空気により、燃焼空間５２の内部は空気で満たされる。このため、ステップ３０５において、着火器１０３の作動を再びＯＮしても、燃焼器５の異常燃焼などのイレギュラーな状況は何等発生しない。【００５７】
一方、着火トライ回数を表す「Ｎ」が、上限着火回数「ＮＭＡＸ」を下回っていなければ（ステップＳ３１２において「ＮＯ」）、着火器１０３による原料への着火ミス以外に、燃焼器５に何等かの異常があると判断され、水素生成装置１００等の運転が停止される。【００５８】
このようにして、図３の燃焼器５の着火シーケンスにおいては、上限着火回数「ＮＭＡＸ」を適切に設定することにより、着火器１０３による原料への着火ミスを少なくできるとともに、着火ミス以外の燃焼器５の異常に迅速に対応できる。また、着火器１０３の作動がＯＦＦされた後、フレームロッド１０２による検知動作がなされているので、フレームロッド１０２において着火器１０３の作動（スパーク放電）ノイズを拾うことが無くなり、このようなノイズに弱いフレームロッド１０２については有益である。【００５９】
次に、図４の着火シーケンスの内容について説明する。なお、以下の説明は、図３の着火シーケンスと異なる内容に限定する。【００６０】
図３の着火シーケンスでは、フレームロッド１０２の出力が、燃焼器５の燃焼判定の閾値に相当する「設定値」を超えているか否かの判定（ステップＳ３１０）に先立って、ステップＳ３０９において、着火器１０３の作動がＯＦＦされている。【００６１】
しかし、着火器１０３の作動ノイズ耐性に優れたフレームロッド１０２を使用する場合には、図４の着火シーケンスのステップＳ４０９に示すように、着火器１０３の作動ＯＮ中に、フレームロッド１０２の検知動作を実行してもよく、その後、ステップＳ４１０において着火器１０３の作動をＯＦＦしてもよい。【００６２】
なお、図４の着火シーケンスの変形例として、フローチャートを用いた説明は省略するが、ステップＳ４１０における着火器１０３の作動ＯＦＦ動作、及びステップＳ４１１における原料供給停止動作を省き、着火トライの繰り返し期間中、着火器１０３の作動ＯＮ状態及び原料供給器３による原料供給を継続させ続けてもよい。この場合、２回目以降の着火トライにおいては、ステップ４０５の着火器の作動ＯＮ動作も省略できる。よって、ここでは、上限着火回数「ＮＭＡＸ」は、正確には、ステップＳ４０３〜ステップＳ４１２間の上限反複回数「ＮＭＡＸ」となる。【００６３】
次に、本実施の形態の水素生成装置１００等における特徴的な動作である、脱硫器４の交換を考慮した場合の燃焼器５の着火シーケンスについて述べる。【００６４】
脱硫器４の交換をしない場合には、図３および図４の着火シーケンスに何等の支障も発生しないが、脱硫器４の交換をする場合、事情が異なる。【００６５】
まず、脱硫器４の交換をした場合に、図３および図４の着火シーケンスを用いる際の不都合について図面を参照しながら詳しく説明する。【００６６】
図５は、着火器による着火動作の際のフレームロッド出力の経時変化の一測定例を示した図である。なお、ここでは、着火器１０３による着火動作は継続的になされているものと仮定する。【００６７】
図５の横軸に、着火器１０３による着火動作の開始時から経過時間をとり、縦軸にフレームロッド出力をとって、両者の関係が、脱硫器４の交換後初めての燃焼動作における着火動作の場合（点線）とそうでない通常の燃焼動作における着火動作の場合（破線）とについて示されている。但し、フレームロッド出力には、その上限値「５（−）」が設定されている。【００６８】
燃焼空間５２において原料の燃焼が検知されると（つまり、原料への着火が検知されると）、フレームロッド出力は「０」よりも大きくなる。また、フレームロッド出力「１（−）」以上であれば、燃焼空間５２において原料の燃焼が安定的になされていると考えられる。【００６９】
図５に示すように、脱硫器４の交換後初めての燃焼動作における着火動作の場合（点線）とそうでない通常の燃焼動作における着火動作の場合（破線）では、フレームロッド出力が「１（−）」を超えるタイミングにずれが生じることが分かる。つまり、通常の燃焼動作における着火動作と比較して、脱硫器４の交換後初めての燃焼動作における着火動作では、フレームロッド出力が「１（−）」を超えるタイミングに到達するまでには長い時間を要している。脱硫器４の交換後の原料に曝されていない脱硫剤は、高い吸着能力を保有しているので、最初の原料通流時には、原料中の硫黄化合物の他、原料自体も一部、吸着される。よって、燃焼空間５２に供給される原料量の低下が招かれ、燃焼空間５２において原料と燃焼空気との混合気が燃焼範囲に入るまでの時間（つまり、フレームロッド出力が「１（−）」を超えるタイミングに到達するまでの時間）が長くなると考えられる。【００７０】
そこで、図５の横軸の経過時間と縦軸のフレームロッド出力の測定値に基づいて、着火器１０３の作動をＯＮ−ＯＦＦする場合の上限着火回数「ＮＭＡＸ」を、以下の如く見積もることができる。【００７１】
図５の実線で示した通常の燃焼動作のおける着火動作の場合、原料供給器３から排出された原料が燃焼器５に到達するには若干の時間ロスがあるので、着火動作の開始と連動して、フレームロッド出力が直ぐに立ち上がらないが、燃焼器５の原料燃焼は、着火動作の開始から短時間で安定になっている。よって、この場合、第１回目の着火トライにより、フレームロッド出力が「１（−）」を超えると予測される。このため、上限着火回数「ＮＭＡＸ」を、「５回」程度に設定すれば、燃焼器５の原料燃焼は支障なく安定化すると期待できる。【００７２】
一方、図５の破線で示した脱硫器４の交換後初めての燃焼動作における着火動作の場合、上述の理由により、燃焼器５の原料燃焼は、着火動作の開始時から約５分経過した後に安定になっている。よって、この場合、第１０回目の着火トライにより、フレームロッド出力が「１（−）」を超えると予測される。このため、上限着火回数「ＮＭＡＸ」を、「１５回」程度に設定すれば、燃焼器５の原料燃焼は支障なく安定化すると期待できる。【００７３】
ここで、図３および図４の着火シーケンスにおいて、上限着火回数「ＮＭＡＸ」を「１５回」に設定すれば、通常の燃焼動作における着火動作の場合にも脱硫器４の交換後初めての燃焼動作における着火動作の場合にも、燃焼器５の原料燃焼を支障なく行える。しかし、通常の燃焼動作における着火動作の場合、第１回目の着火トライで燃焼器５の原料燃焼を安定化できるにも拘らず、上限着火回数「ＮＭＡＸ」を「１５回」に設定することは、原料着火ミス以外の燃焼器５の異常の察知を遅らせかねない。そして、このことが、当該異常に対する迅速な対応を妨げ、ひいては、水素生成装置１００等の適切な復帰を阻害する場合がある。【００７４】
よって、本実施の形態では、図６および図８の着火シーケンスに示す如く、脱硫器４の交換後初めての燃焼動作での着火動作において、上述の脱硫器４による原料吸着の事態を想定して、上限着火回数「ＮＭＡＸ」が「５回」から「１５回」に変更されている。【００７５】
図６は、脱硫器交換を考慮した場合の燃焼器の着火シーケンスの一例を示したフローチャートである。図７は、図６の着火シーケンスにおける変更指示取得器の操作画面の一例である交換信号取得器を示した図である。【００７６】
図８は、脱硫器交換を考慮した場合の燃焼器の着火シーケンスの他の例を示したフローチャートである。図９は、図８の着火シーケンスにおける変更指示取得器の操作画面の一例を示した図である。【００７７】
まず、図６の着火シーケンスの内容について説明する。但し、図６のステップＳ６０５〜ステップＳ６１７の動作は、図３のステップＳ３０１〜ステップＳ３１３と同じなので、ここでは、これらの動作説明は省略する。【００７８】
当該着火シーケンスでは、制御器８の内部メモリーに保存された制御プログラムが、制御器８のＣＰＵに読み込まれる。そして、この制御プログラムにより制御されるＣＰＵが、水素生成装置１００等の各種機器を制御しながら、以下の処理を実行する。【００７９】
なお、交換信号取得器は、図７に示されたタッチパネル式の操作画面であり、作業者による操作画面の画面タッチ操作により入力された信号に基づき、以下の処理が実行できる。【００８０】
また、ここでは、通常の燃焼動作における着火動作を標準動作と見做して、上限着火回数「ＮＭＡＸ」の初期値は、「５回」に設定されている。作業者は、脱硫器４の交換作業に入る場合には、例えば、図７（ａ）の「サブメニュー」のタッチ操作および図７（ｂ）の「脱硫器」のタッチ操作を行い、図７（ｃ）に示される操作画面の「交換」のタッチ操作を行い、そして、脱硫器４の交換作業完了の後、図７（ｄ）に示される操作画面の「確認」のタッチ操作を行う。すると、脱硫器交換信号が「ＯＮ」であることが制御器８内部のメモリーに記憶される。その後、作業者の操作画面を介した操作により水素生成装置もしくはこれを備える燃料電池システムの起動指令が入力されると、まず、脱硫器交換信号がＯＮおよびＯＦＦの何れであるかが判定される（ステップＳ６０１）。
ステップＳ６０１において脱硫器交換信号がＯＮである場合、このＯＮ信号が、脱硫器交換後初めての燃焼動作に対応する上限着火回数に変更する変更指示信号として制御器８のＣＰＵに入力される。
ステップＳ６０１において脱硫器交換信号がＯＮである場合、制御器８のＣＰＵは、この脱硫器交換ＯＮ信号に基づいて、上限着火回数「ＮＭＡＸ」を「５回」から脱硫器交換後初めての燃焼動作に対応する上限着火回数「１５回」に上げる（ステップＳ６０２）。すると、脱硫器交換信号がＯＦＦとなり（ステップＳ６０４）、制御器８のＣＰＵは、ステップＳ６０５以降の動作を実行する。【００８１】
この操作により、次回以降の起動動作は、ステップＳ６０１において脱硫器交換信号がＯＦＦと判断され、制御器８のＣＰＵは、上限着火回数「ＮＭＡＸ」を通常の燃焼動作に対応する上限着火回数「５回」にして（ステップＳ６０３）、ステップＳ６０５以降の動作を実行する。【００８２】
なお、上述のとおり、制御器８のＣＰＵは、ステップＳ６０１において交換信号取得器より取得された脱硫器交換ＯＮ信号に基づいて、ステップＳ６０２の如く、「着火確認時間」の上限に相当する上限着火回数「ＮＭＡＸ」を通常の燃焼動作における上限着火回数よりも多い回数に変更している。よって、本処理では、当該制御器８のＣＰＵは、着火確認時間の上限を変更する上限変更器として機能するし、当該交換信号取得器は、この変更の指示に関連する信号を取得する変更指示取得器１０１として機能する。【００８３】
次に、図８の着火シーケンスの内容について説明する。但し、図８のステップＳ８０５〜ステップＳ８１７の動作は、図３のステップＳ３０１〜ステップＳ３１３と同じなので、ここでは、これらの動作説明は省略する。【００８４】
当該着火シーケンスでは、制御器８の内部メモリーに保存された制御プログラムが、制御器８のＣＰＵに読み込まれる。そして、この制御プログラムにより制御されるＣＰＵが、水素生成装置１００等の各種機器を制御しながら、以下の処理を実行する。【００８５】
なお、変更指示取得器１０１は、図９に示されたタッチパネル式の操作画面であり、作業者による操作画面の画面タッチ操作により入力された信号に基づき、以下の処理を実行できる。【００８６】
なお、ここでは、通常の燃焼動作における着火動作を標準動作と見做して、上限着火回数「ＮＭＡＸ」の初期値は、「５回」に設定されている。【００８７】
例えば、作業者は、図９（ａ）の「サブメニュー」のタッチ操作および図９（ｂ）の「着火回数上限設定」のタッチ操作を行い、図９（ｃ）に示される操作画面の「脱硫器交換後運転」のタッチ操作を行い、そして、脱硫器４の交換作業完了の後、図９（ｄ）に示される操作画面の「確認」のタッチ操作を行う。すると、運転シーケンスが「脱硫器交換後運転」であることが制御器８内のメモリーに記憶される。その後、作業者の操作画面を介した操作により水素生成装置もしくはこれを備える燃料電池システムの起動指令が入力されると、まず、運転シーケンスが脱硫器交換後運転および通常運転の何れであるかが判定される（ステップＳ８０１）。
ステップＳ８０１において運転シーケンスが脱硫器交換後運転である場合、この「脱硫器交換後運転」であることを示す信号が、脱硫器交換後初めての燃焼動作に対応する上限着火回数に変更する変更指示信号として、制御器８のＣＰＵに入力される。
また、ステップＳ８０１において運転シーケンスが脱硫器交換後運転である場合、制御器８のＣＰＵは、上記変更指示信号に基づいて、上限着火回数「ＮＭＡＸ」を「５回」から脱硫器交換後初めての燃焼動作に対応する上限着火回数「１５回」に上げる（ステップＳ８０２）。そして、制御器８のＣＰＵは、ステップＳ８０５以降の動作を実行する。【００８８】
一方、脱硫器４の交換後初めての燃焼動作を含む水素生成装置等の運転が完了すると、作業者は、図９（ｃ）に示される操作画面の「通常運転」のタッチ操作を行う。すると、ステップＳ８０１において運転シーケンスが「通常運転」となり、次回以降の起動動作では、ステップＳ８０１において、制御器８のＣＰＵは、上限着火回数「ＮＭＡＸ」を通常の燃焼動作に対応する上限着火回数「５回」に戻して（ステップＳ８０３）、ステップＳ８０５以降の動作を実行する。【００８９】
なお、上述のとおり、制御器８のＣＰＵは、ステップＳ８０１において変更指示取得器１０１より取得された変更指示信号に基づいて、ステップＳ８０２の如く、「着火確認時間」の上限に相当する上限着火回数「ＮＭＡＸ」を変更している。よって、本処理では、当該制御器８のＣＰＵは、着火確認時間の上限を変更する上限変更器として機能する。【００９０】
以上に述べたように、本実施の形態の水素生成装置１００等は、着火器１０３の上限着火回数「ＮＭＡＸ」を変更する上限変更器と、この変更の指示に関連する信号を取得する変更指示取得器１０１とを備える。具体的には、本実施の形態では、作業者により「脱硫器交換後運転」が選択され、変更指示取得器１０１が、脱硫器交換後初めての燃焼動作に対応する上限着火回数に変更する変更指示信号を取得した場合、上限変更器としての制御器８のＣＰＵが上限着火回数「ＮＭＡＸ」を「５回」から「１５回」に上げるように構成されている。【００９１】
これにより、吸着型脱硫器を通した原料を用いて燃焼器５の燃焼開始がなされる水素生成装置１００等において、脱硫器４の交換後の起動動作においても燃焼不良と誤判定することなく適切に燃焼動作を開始することができる。【００９２】
つまり、脱硫器４の交換後の原料に曝されていない脱硫剤は、高い吸着能力を保有しているので、最初の原料通流時には、原料中の硫黄化合物の他、原料自体も一部、吸着される。よって、燃焼空間５２に供給される原料量の低下が招かれ、燃焼空間５２での原料と燃焼空気との混合気が燃焼範囲に入るまでの時間（つまり、フレームロッド出力が「１（−）」を超えるタイミングに到達するまでの時間）が長くなると考えられる。このため、脱硫器４の交換後初めての燃焼動作での着火動作において、上限着火回数「ＮＭＡＸ」を、「１５回」程度に充分多めにとれば、燃焼器５の原料燃焼は支障なく安定化すると期待できる。一方、通常の燃焼動作での着火動作において、上限着火回数「ＮＭＡＸ」を「５回」程度に抑えて設定すれば、原料着火ミス以外の燃焼器５の異常の迅速な察知を可能にする。これにより、当該異常に対する復帰動作など適切な対応を迅速に取ることができる。【００９３】
なお、脱硫器４中の脱硫剤の原料吸着量は、脱硫剤の種類や、脱硫器４に充填する脱硫剤の量により依存する。また、原料供給器３から燃焼器５への原料到達時間やフレームロッド出力が「１（−）」を超えるタイミングも、水素生成装置１００等の装置構成に依存して相違する。このため、上限着火回数「ＮＭＡＸ」の具体的な数値やタイマー時間などを、装置ごとに適宜設定する必要がある。
（変形例１）
図１０は、燃焼器の着火シーケンスの一変形例を示したフローチャートである。
本実施の形態の水素生成装置１００等では、着火器１０３の上限着火回数「ＮＭＡＸ」を変更する例を述べた。これに代えて、図１０に示す如く、脱硫器４を通過し、燃焼器５へ供給される原料に対して着火器１０３が動作している時間（ステップＳ１０１１からステップＳ１０１３までの時間）である、ステップＳ１０１２のタイマー時間「Ｙ秒」を変更してもよい。なお、ここでは、通常の燃焼動作における着火動作を標準動作と見做して、上限着火回数「ＮＭＡＸ」の値は、「５回」に設定され、タイマー時間「Ｙ秒」の初期値は、「２０秒」に設定されている。
図１０によれば、脱硫器交換時に作業者により図７（ｃ）の操作がなされた後、水素生成装置もしくはこれを備える燃料電池システムの起動指令が入力され、ステップＳ１００１において脱硫器交換信号がＯＮとなった場合、制御器８のＣＰＵは、この脱硫器交換信号に基づいて、タイマー時間「Ｙ秒」を「２０秒」から「６０秒」に上げる（ステップＳ１００２）。【００９４】
一方、ステップＳ１００２でタイマー時間が変更された後、脱硫器交換信号はＯＦＦされるので、次回以降の起動動作では、ステップＳ１００１において脱硫器交換信号がＯＦＦと判断され、制御器８のＣＰＵは、タイマー時間「Ｙ秒」を「２０秒」にして（ステップＳ１００３）、ステップＳ１００５以降の動作を実行する。【００９５】
これにより、吸着型脱硫器４を通した原料を用いて燃焼器５の燃焼開始がなされる水素生成装置１００等において、脱硫器４の交換後初めての起動動作においても燃焼不良と誤判定することなく適切に燃焼動作を開始することができる。
つまり、脱硫器４の交換後初めての燃焼動作での着火動作において、脱硫器４内を通過し、燃焼器５に供給される原料に対する着火器１０３の着火トライ毎の着火動作時間を多くすれば、上限着火回数「ＮＭＡＸ」の回数を増やす場合と同じ効果が発揮される。なお、この場合、着火器１０３の「着火確認時間」の上限として、タイマー時間「Ｙ秒」に、上限着火回数「ＮＭＡＸ」を乗じた数値が採用される。
（変形例２）
図１１は、燃焼器の着火シーケンスの他の一変形例を示したフローチャートである。
本実施の形態の水素生成装置１００等では、着火器１０３の上限着火回数「ＮＭＡＸ」を変更する例を述べた。これに代えて、図１１に示す如く、上限着火回数「ＮＭＡＸ」を変更するとともに、脱硫器４を通過し、燃焼器５へ供給される原料に対して着火器１０３が動作している時間（ステップＳ１１１３からステップＳ１１１５までの時間）であるステップＳ１１１４のタイマー時間「Ｙ秒」を変更してもよい。なお、ここでは、通常の燃焼動作での着火動作を標準動作と見做して、上限着火回数「ＮＭＡＸ」の初期値は、「５回」に設定され、タイマー時間「Ｙ秒」の初期値は、「２０秒」に設定されている。
図１１によれば、脱硫器交換時に作業者により図７（ｃ）の操作がなされた後、水素生成装置もしくはこれを備える燃料電池システムの起動指令が入力され、ステップＳ１１０１において脱硫器交換信号がＯＮとなった場合、制御器８のＣＰＵは、この脱硫器交換信号に基づいて、タイマー時間「Ｙ秒」を「２０秒」から「３０秒」に上げ、かつ、上限着火回数「ＮＭＡＸ」を「５回」から「１０回」に上げる（ステップＳ１１０２、Ｓ１１０３）。【００９６】
一方、ステップＳ１１０２でタイマー時間及び上限着火回数が変更された後、脱硫器交換信号はＯＦＦされるので、次回以降の起動動作では、ステップＳ１１０１において脱硫器交換信号がＯＦＦと判断され、制御器８のＣＰＵは、タイマー時間「Ｙ秒」を「２０秒」、かつ、上限着火回数「ＮＭＡＸ」を「５回」にして（ステップＳ１１０４、Ｓ１１０５）、ステップＳ１１０５以降の動作を実行する。【００９７】
これにより、吸着型脱硫器４を通した原料を用いて燃焼器５の燃焼開始がなされる水素生成装置１００等において、脱硫器４の交換後初めての起動動作においても燃焼不良と誤判定することなく適切に燃焼動作を開始することができる。
つまり、脱硫器４の交換後初めての燃焼動作での着火動作において、脱硫器４内を通過し、燃焼器５に供給される原料に対する着火器１０３の着火トライ毎の着火動作時間を多くするとともに、上限着火回数「ＮＭＡＸ」の回数を増やすことにより、上述の効果が発揮される。なお、この場合、着火器１０３の「着火確認時間」の上限として、タイマー時間「Ｙ秒」に、上限着火回数「ＮＭＡＸ」を乗じた数値が採用される。
（変形例３）
上述の実施の形態では、交換信号取得器として、タッチパネル式の操作画面を例示した。しかし、このようなタッチパネルによる脱硫器４の交換信号取得は飽くまで一例に過ぎない。本変形例では、例えば、交換信号取得器として、脱硫器４の交換を機械的な接点スイッチで検知するセンサであってもよい。また、ＩＣタグやＩＣタグリーダ等を用いて脱硫器４が交換されたことを検出する方式であってもよい。
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００９８】
本発明の水素生成装置は、脱硫器の交換後の起動動作においても燃焼不良と誤判定することなく脱硫器を通過した原料を用いた燃焼動作を適切に開始することが可能になる、例えば、この水素生成装置を備えた家庭用燃料電池コージェネシステム等として有用である。
【図１】
2007148699.tif 000003
【図２】
2007148699.tif 000004
【図３】
2007148699.tif 000005
【図４】
2007148699.tif 000006
【図５】
2007148699.tif 000007
【図６】
2007148699.tif 000008
【図７】
2007148699.tif 000009
【図８】
2007148699.tif 000010
【図９】
2007148699.tif 000011
【図１０】
2007148699.tif 000012
【図１１】
2007148699.tif 000013
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
原料中の硫黄化合物を吸着除去する脱硫剤を有する脱硫器と、
原料から水素含有ガスを生成する改質触媒を有する改質器と、
前記改質器を加熱する燃焼器と、
前記燃焼器において前記原料への着火を起こす着火器と、を備え、
前記脱硫器を通過した前記原料を用いて前記燃焼器の燃焼を開始するよう構成された水素生成装置であって、
前記着火器の着火確認時間の上限を変更する上限変更器と、前記変更の指示に関連する信号を取得する変更指示取得器とを備えることを特徴とする水素生成装置。
【請求項２】
前記変更指示取得器が、前記脱硫器の交換に関連する信号を取得する交換信号取得器であり、前記交換信号取得器により前記脱硫器の交換に関連する信号が取得された場合、前記上限変更器が前記着火確認時間の上限を上げることを特徴とする請求項１記載の水素生成装置。
【請求項３】
請求項１または２記載の水素生成装置と、前記水素生成装置より供給される水素含有ガスを用いて発電する燃料電池とを備えることを特徴とする燃料電池システム。
【請求項４】
原料中の硫黄化合物を吸着除去する脱硫剤を有する脱硫器と、
前記脱硫器を通過した原料から水素含有ガスを生成する改質触媒を有する改質器と、  
前記改質器を加熱する燃焼器と、
前記燃焼器において前記原料への着火を起こす着火器と、を備え、
前記脱硫器を通過した前記原料を用いて前記燃焼器の燃焼を開始するよう構成された水素生成装置の運転方法であって、
前記脱硫器の交換後に、前記着火器の着火確認時間の上限を上げるとともに、前記上げられた着火確認時間の上限に基づき前記着火器の着火動作を行うことを特徴とする水素生成装置の運転方法。
【請求項５】
原料中の硫黄化合物を吸着除去する脱硫剤を有する脱硫器と、前記脱硫器を通過した原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された水素生成装置と、
前記水素生成装置より供給される水素含有ガスを用いて発電を行う燃料電池と、
を備える燃料電池システムの運転方法であって、
前記脱硫器の交換後に、前記着火器の着火確認時間の上限を上げるとともに、前記上げられた着火確認時間の上限に基づき前記着火器の着火動作を行うことを特徴とする燃料電池システムの運転方法。
【手続補正２】
【補正対象書類名】明細書
【補正対象項目名】全文
【補正方法】変更
【補正の内容】
【発明の詳細な説明】
【技術分野】
【０００１】
本発明は、硫黄化合物を吸着除去する脱硫器を有し、脱硫器を通過した原料から改質反応により水素含有ガスを生成する水素生成装置およびこれを備える燃料電池システム並びにこれらの運転方法に関する。
【背景技術】
【０００２】
小型装置でも高効率発電が可能な燃料電池は、分散型エネルギー供給源の発電装置として開発が進められている。燃料電池の発電時の燃料として用いられる水素ガスは、一般的なインフラとして整備されていない。このため、例えば、都市ガス、ＬＰＧ等の既存化石原料インフラから得られる原料から水素含有ガスを生成させる水素生成装置を、燃料電池に併設する構成がとられる。水素生成装置は、原料と水とを改質反応させる改質器、水素含有ガス中の一酸化炭素濃度を低減するために一酸化炭素と水蒸気を水性ガスシフト反応させる変成器、および一酸化炭素を主に微量空気等の酸化剤で酸化させるＣＯ除去器を設ける構成がとられることが多い。また、それらの反応部には、各反応に適した触媒、例えば、改質器にはＲｕ触媒やＮｉ触媒、変成器にはＣｕ−Ｚｎ触媒、ＣＯ除去器にはＲｕ触媒等が用いられている。
【０００３】
ところで、上記既存インフラとしての都市ガスやＬＰＧは、配管等からの原料の漏れを検知する目的で硫黄化合物系の付臭剤が添加されている。それら硫黄化合物系の付臭剤は、水素生成装置に用いる前記触媒の被毒成分となるため、あらかじめ付臭剤を除去する脱硫器を水素生成装置に設けることが一般的である。
【０００４】
例えば、ゼオライト系吸着脱硫剤を用いた吸着型脱硫器で原料中の硫黄化合物を除去する方法が考案されている（例えば、特許文献１参照）。
【０００５】
また、この吸着型脱硫器は、常温状態で硫黄化合物を吸着除去できるため、水添型脱硫器と比較して水素生成装置の起動性が優れるが、原料中の硫黄化合物は常に供給され、使用期間が長くなると、脱硫器の吸着脱硫能力は低下する。つまり、脱硫器の吸着脱硫能力（吸着容量）には限界があるので、長期使用時には脱硫器の交換が前提となる。そこで、脱硫器の交換時期を容易に判定可能なインジケーター機能付きの脱硫器が提案されている（例えば、特許文献２参照）。
【０００６】
また、水素生成装置は、通常、改質器内の触媒の温度を触媒反応に適したレベルにまで昇温できる燃焼器を備えており、水素生成装置の起動動作において、原料インフラから供給され、脱硫器を通過した原料により改質器内をパージして、当該パージ後の原料を用いて燃焼器の燃焼がなされている（例えば、特許文献３参照）。
【特許文献１】特開２００４−２２８０１６号公報
【特許文献２】特開２００２−３５８９９２号公報
【特許文献３】特開２００５−２０６３９５号公報
【発明の開示】
【発明が解決しようとする課題】
【０００７】
さて、上記特許文献２に記載の水素生成装置のように、吸着型脱硫器の吸着容量に限界があるので、脱硫器の交換が不可欠であるが、脱硫器の交換後に、上記特許文献３に記載の水素生成装置のように脱硫器を通過した原料を用いて燃焼器の燃焼がなされる場合、脱硫剤での原料吸着が起こり、脱硫器を通過した原料の燃焼器への供給流量が一時的に少なくなり、燃焼器での燃焼状態が不安定になることがある。その結果、例えば、通常の燃焼検知判断基準を適用した場合、脱硫器の原料吸着による燃焼器の不安定燃焼を、燃焼器の他の要因による燃焼不良と誤判定するという不都合が生じることが予測される。
【０００８】
本発明は、このような事情に鑑みてなされたものであり、吸着型脱硫器を通した原料を用いて燃焼器の燃焼開始がなされる場合に、脱硫器の交換後の起動動作においても燃焼不良と誤判定することなく適切に燃焼動作を開始可能な水素生成装置およびこれを備える燃料電池システム並びにこれらの運転方法を提供することを目的とする。
【課題を解決するための手段】
【０００９】
上記課題を解決するために、本発明の水素生成装置は、原料中の硫黄化合物を吸着除去する脱硫剤を有する脱硫器と、原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された装置であって、前記着火器の着火確認時間の上限を変更する上限変更器と、前記変更の指示に関連する信号を取得する変更指示取得器とを備えている。
【００１０】
また、前記変更指示取得器は、前記脱硫器の交換に関連する信号を取得する交換信号取得器であってもよく、前記交換信号取得器により前記脱硫器の交換に関連する信号が取得された場合、前記上限変更器が前記着火確認時間の上限を上げてもよい。
【００１１】
これらの構成により、吸着型脱硫器を通した原料を用いて燃焼器の燃焼開始がなされる場合に、脱硫器の交換後の水素生成装置の起動動作においても燃焼不良と誤判定することなく適切に燃焼動作を開始することができる。
【００１２】
また、本発明の燃料電池システムは、上記本発明の水素生成装置と、前記水素生成装置より供給される水素含有ガスを用いて発電する燃料電池とを備えてもよい。
【００１３】
また、本発明の水素生成装置の運転方法は、原料中の硫黄化合物を吸着除去する脱硫剤を有する脱硫器と、前記脱硫器を通過した原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された水素生成装置の運転方法であって、前記脱硫器の交換後に、前記着火器の着火確認時間の上限を上げるとともに、前記上げられた着火確認時間の上限に基づき前記着火器の着火動作を行うことを特徴とする。
【００１４】
また、本発明の燃料電池システムの運転方法は、原料中の硫黄化合物を吸着除去する脱硫剤を有する脱硫器と、前記脱硫器を通過した原料から水素含有ガスを生成する改質触媒を有する改質器と、前記改質器を加熱する燃焼器と、前記燃焼器において前記原料への着火を起こす着火器と、を備え、前記脱硫器を通過した前記原料を用いて前記燃焼器の燃焼を開始するよう構成された水素生成装置と、前記水素生成装置より供給される水素含有ガスを用いて発電を行う燃料電池と、を備える燃料電池システムの運転方法であって、前記脱硫器の交換後に、前記着火器の着火確認時間の上限を上げるとともに、前記上げられた着火確認時間の上限に基づき前記着火器の着火動作を行うことを特徴とする。
【００１５】
これらの運転方法により、吸着型脱硫器を通した原料を用いて燃焼器の燃焼開始がなされる場合に、脱硫器の交換後の水素生成装置および燃料電池システムの起動動作においても、燃焼不良と誤判定することなく適切に燃焼動作を開始することができる。
【００１６】
本発明の上記目的、他の目的、特徴、及び利点は、添付図面参照の下、以下の好適な実施態様の詳細な説明から明らかにされる。
【発明の効果】
【００１７】
本発明によれば、吸着型脱硫器を通過した原料を用いて燃焼器の燃焼開始がなされる場合に、脱硫器の交換後の起動動作においても燃焼不良と誤判定することなく適切に燃焼動作を開始可能な水素生成装置およびこれを備える燃料電池システム並びにこれらの運転方法が得られる。
【発明を実施するための最良の形態】
【００１８】
以下、本発明の好ましい実施の形態を、図面を参照しながら説明する。
【００１９】
図１は、本発明の実施の形態における燃料電池システムの構成例を示したブロック図である。図１に示すように、燃料電池システム２００の主要な構成要素として、水素生成装置１００および燃料電池７がある。
【００２０】
水素生成装置１００は、メタンを主成分とする都市ガス、天然ガス、ＬＰＧ等の炭化水素、メタノール等のアルコール、あるいはナフサ成分等の少なくとも炭素及び水素から構成される有機化合物を含む原料と、水蒸気との改質反応を主に進行させ、水素含有ガスを生成できる装置である。この水素生成装置１００は、Ｒｕ系の改質触媒を充填した改質器１の他、改質器１で生成した水素含有ガス中の一酸化炭素を水蒸気変成反応させるＣｕ−Ｚｎ系変成触媒を設けた変成器、および、変成器通過後の水素含有ガス中に残留する一酸化炭素を、主に酸化により低減するＲｕ系触媒を設けたＣＯ除去器を備えてもよい（但し、変成器およびＣＯ除去器の図示およびこれらの詳細説明は省略する）。
【００２１】
また、水素生成装置１００は、図１に示すように、上述の改質器１の他に、水供給器２と、原料供給器３と、脱硫器４と、燃焼器５と、制御器８と、変更指示取得器１０１と、を備えている。
【００２２】
水供給器２は、改質器１に供給する水の流量調整機能を有する機器である。この水は、改質反応に必要な水蒸気を生成するのに用いられる。水供給器２として、市水、水タンク等に例示される水供給源（図示せず）からの水の供給量を調節する弁、流量調節器、ポンプ等が用いられている。本実施の形態では、市水を活性炭及びイオン交換樹脂（何れも図示せず）を通して浄化させた浄化水が、水供給器２により改質器１に供給されている。
【００２３】
原料供給器３は、改質器１へ原料を供給する流量調整機能を有する機器（例えば、弁や流量調整器）である。なお、図１に示すように、原料供給器３と改質器１との間の経路と、迂回経路４ｄとの間の接続部に配された流路変更弁４ｃ（例えば三方弁）を用いて、原料供給器３から排出された原料を、改質器１を経ることなく、迂回経路４ｄに流して、後述の燃焼器５に直接送ることもできる。
【００２４】
脱硫器４は、硫黄化合物の吸着剤であるゼオライト（本実施の形態では、東ソー社製ゼオラムＦ−９を用いた）を充填した吸着型の脱硫機能を有し、一対の閉止弁４ａのそれぞれが、脱硫器４の出入口としての両端のそれぞれに設けられ、その一方が原料の供給源となるガスインフラライン９と接続され、その他方が原料供給器３と接続されている。そして、これらの閉止弁４ａを開くことにより、ガスインフラライン９から供給され、硫黄化合物系の付臭剤が含有された原料は、脱硫器４において当該硫黄化合物が吸着除去された後、原料供給器３に送られる。
【００２５】
燃焼器５は、改質器１の改質触媒に改質反応に必要な熱を、高温の燃焼ガスを介して供給する火炎バーナー構造の機器である。この燃焼器５には、燃焼検知器１０２と、着火器１０３と、燃焼空気供給用の燃焼ファン６と、が配されている。なお、燃焼器５の詳細な構成は後述する。
【００２６】
制御器８は、マイクロプロセッサ（ＣＰＵ）などにより構成され、図１に示すように、燃料電池システム２００（水素生成装置１００）の動作を制御できるとともに、半導体メモリー等の内部メモリーを用いて燃料電池システム２００の運転パラメータや制御プログラムを記憶できる。つまり、制御器８（ＣＰＵ）は、変更指示取得器１０１および燃焼検知器１０２の出力信号、並びに、図示しない温度センサや圧力センサの出力信号を受け取り、これらの信号に基づいて原料供給器３、水供給器２、燃焼ファン６および着火器１０３、並びに、各種の弁４ａ、４ｃ、１２の動作を適切に制御している。
【００２７】
変更指示取得器１０１は、燃焼器５の燃焼開始時の着火確認時間の上限の変更指示に関連する信号を取得するように構成されている。本実施の形態では、この変更指示取得器１０１は、タッチパネル式の操作画面を有しており、メンテナンスオペレータもしくはユーザー（以下、「作業者」と略す）の指や専用のペンによる所定の画面タッチ操作により、上述の信号を取得することができる。なお、この変更指示取得器１０１の詳細は、後述する。
【００２８】
また、固体高分子型の燃料電池７は、図１に示すように、アノード７ａおよびカソード７ｃを有し、水素ガス供給経路１０を介して水素生成装置１００からアノード７ａに供給される水素ガスと、適宜の酸化剤ガス供給器（図示せず）からカソード７ｃに供給される酸化剤ガスと、を用いて発電するように構成されている。但し、燃料電池７の構成は公知であり、その詳細な図示および説明は省略する。なお、燃料電池７の発電時に余剰になった水素オフガスは、アノード７ａから排出され、オフガス経路１１を通して燃焼器５に供給する構成となっている。また、図１に示すように、水素ガス供給経路１０とオフガス経路１１との間を短絡できる短絡経路、および、この短絡経路と水素ガス供給経路１０との間の接続部に配された流路変更弁１２（例えば三方弁）が設けられている。これにより、水素生成装置１００の起動時などに、水素生成装置１００の内部（ここでは、改質器１や図示しない変成器およびＣＯ除去器の内部）を、原料供給器３から供給される可燃性の原料ガスを用いてパージ処理する際に、パージ処理後の可燃ガス（原料ガスや水素ガス）を、燃料電池７を経由させずに、燃焼器５に直接送り、この燃焼器５で燃焼処理できる。
【００２９】
次に、燃焼器５の構成を詳細に説明する。
【００３０】
図２は、図１の燃焼器の構成例を説明するための模式図である。
【００３１】
図２に示すように、燃焼器５の管状のディストリビュータ５０は、上述の迂回経路４ｄやオフガス経路１１に連通しており、可燃成分（例えば原料）を燃焼空間５２に噴出できる多数の噴出孔５０Ａを有している。これにより、ディストリビュータ５０内を流れる可燃成分は、噴出孔５０Ａにより分散して燃焼空間５２に噴出される。
【００３２】
また、燃焼器５の空気室５１は、壁部５３を介して上述の燃焼ファン６の内部に連通しており、燃焼ファン６から圧送される空気を燃焼空間５２に噴出できる多数の噴出孔５１Ａを有している。これにより、空気室５１内の空気は、噴出孔５１Ａにより分散して燃焼空間５２に噴出される。
【００３３】
このようにして、燃焼空間５２には、可燃成分および空気が適切な混合比となるように供給される。
【００３４】
なお、上述の着火器１０３は、図２に示すように、ディストリビュータ５０の先端に配されて、これにより、燃焼空間５２に存在する可燃成分への着火を起こすことができる。本実施の形態では、着火器１０３として、圧電放電を利用したイグナイターが用いられている。
【００３５】
また、燃焼検知器１０２は、燃焼空間５２に配されており、これにより、燃焼器５の火炎燃焼の状態を検知することができる。本実施の形態では、燃焼検知器１０２として、燃焼空間５２中の荷電粒子のイオン電流量を測定するフレームロッド（ＦＲ）が用いられている（以下、「燃焼検知器１０２」を「フレームロッド１０２」という）。
【００３６】
次に、本実施の形態の水素生成装置１００および燃料電池システム２００（以下、「水素生成装置１００等」という）の起動動作の一例について説明する。
【００３７】
まず、脱硫器４の交換を想定しない場合の燃焼器５の着火シーケンスについて述べる。
【００３８】
図３は、脱硫器交換を考慮しない場合の燃焼器の着火シーケンスの一例を示したフローチャートである。
【００３９】
図４は、脱硫器交換を考慮しない場合の燃焼器の着火シーケンスの他の例を示したフローチャートである。
【００４０】
最初に、図３の着火シーケンスの内容について説明する。
【００４１】
当該着火シーケンスでは、制御器８の内部メモリーに保存された制御プログラムが、制御器８のＣＰＵに読み込まれる。そして、この制御プログラムにより制御されるＣＰＵが、水素生成装置１００等の各種機器を制御しながら、以下の処理を実行する。なお、制御器８の内部メモリーには、着火器１０３の「着火確認時間」の上限に相当する上限着火回数「ＮＭＡＸ」、および、燃焼器５の燃焼判定の閾値（この一例として、後述の図５を参照）に相当するフレームロッド１０２から出力される「設定値」が、予め記憶されているものとする。
【００４２】
燃焼ファン６の作動がＯＮされ（ステップＳ３０１）、これにより、燃焼ファン６から燃焼空間５２への燃焼用空気の供給が開始する。
【００４３】
次に、着火トライ回数を表す「Ｎ」が「ゼロ（０）」にリセットされ、その後、この「Ｎ」に「１」が加算される（ステップＳ３０２、Ｓ３０３）。これにより、以下の如く、着火器１０３による第１回目の着火動作がなされる。
【００４４】
燃焼空間５２への燃焼用空気の供給開始時から所定のタイマー時間（ここでは８秒）が経つと、着火器１０３の作動がＯＮされ（ステップＳ３０４、Ｓ３０５）、燃焼空間５２にスパーク放電が発生する。
【００４５】
この状態で、所定のタイマー時間（ここでは２秒）が経つと、原料供給器３より迂回経路４ｄを介して燃焼空間５２への原料供給が開始される（ステップＳ３０６、Ｓ３０７）。つまり、ディストリビュータ５０を流れる適量の原料が、噴出孔５０Ａを介して、燃焼空間５２に噴出され、これにより、原料と燃焼空気との混合気が燃焼範囲に入り、燃焼空間５２において火炎が形成できる状態になる。
【００４６】
そして、燃焼空間５２への原料の供給開始時から所定のタイマー時間（ここでは２０秒）が経つと、着火器１０３の作動がＯＦＦされる（ステップＳ３０８、Ｓ３０９）。
【００４７】
ここで、フレームロッド１０２の出力が、燃焼器５の燃焼判定の閾値に相当する「設定値」を超えているか否かが判定される（ステップＳ３１０）。
【００４８】
このように、フレームロッド１０２の出力としての荷電粒子のイオン電流量を用いて、燃焼器５における適切な火炎形成の有無が判定される。
【００４９】
フレームロッド１０２の出力が当該「設定値」を超えていれば（ステップＳ３１０において「ＹＥＳ」）、着火器１０３により原料が着火していると判定される（ステップＳ３１３）。
【００５０】
なお、上述の出力（イオン電流量）については、所定期間に亘り一定値に維持されることも確認され、これにより、燃焼器５での燃焼の安定性が適切に確保される。
【００５１】
そして、この場合、水素生成装置１００等の通常運転に入り、水供給器２により水が改質器１に供給されるとともに、流路変更弁４ｃが改質器１側に切替えられ、原料供給器３により原料が改質器１に供給される。これにより、改質器１の内部において、水蒸気改質反応により原料と水蒸気から水素含有ガスが生成される。なお、水供給量は、単位時間当たりに供給される水量中の水分子のモル数が単位時間当たりに供給される原料量中の原料平均組成の炭素原子のモル数の３倍となるように調整されている。本実施の形態では、メタンを主成分とする都市ガスを原料とし、都市ガスの平均組成において１モルの炭素原子に対して、３モルの水蒸気が存在するよう、水供給量が設定されている（スチームカーボン比（Ｓ／Ｃ）＝３）。そして、改質器１から排出された水素含有ガスに対して、変成器において水性ガスシフト反応、および、ＣＯ除去器において一酸化炭素の選択酸化反応が施され、これにより、一酸化炭素濃度が約２０ｐｐｍ以下となる水素ガスが生成される。この水素ガスは、水素ガス供給経路１０を介して燃料電池７のアノード７ａに供給され、燃料電池７の発電用の反応ガスとして使用される。
【００５２】
一方、ステップＳ３１０において、フレームロッド１０２の出力が当該「設定値」以下であれば、着火器１０３により原料が着火していない（着火ミス）と判定される。
【００５３】
この場合、原料供給器３を用いた燃焼空間５２への原料供給が停止される（ステップＳ３１１）。そして、着火トライ回数を表す「Ｎ」が、上限着火回数「ＮＭＡＸ」を下回るか否かが判定される（ステップＳ３１２）。
【００５４】
着火トライ回数を表す「Ｎ」が、上限着火回数「ＮＭＡＸ」を下回っていれば（ステップＳ３１２において「ＹＥＳ」）、ステップＳ３０３に戻り、次回の着火トライ動作が行われる。なお、ステップＳ３１１において原料供給が停止されると、燃焼空間５２に引き続き供給される空気により、燃焼空間５２の内部は空気で満たされる。このため、ステップ３０５において、着火器１０３の作動を再びＯＮしても、燃焼器５の異常燃焼などのイレギュラーな状況は何等発生しない。
【００５５】
一方、着火トライ回数を表す「Ｎ」が、上限着火回数「ＮＭＡＸ」を下回っていなければ（ステップＳ３１２において「ＮＯ」）、着火器１０３による原料への着火ミス以外に、燃焼器５に何等かの異常があると判断され、水素生成装置１００等の運転が停止される。
【００５６】
このようにして、図３の燃焼器５の着火シーケンスにおいては、上限着火回数「ＮＭＡＸ」を適切に設定することにより、着火器１０３による原料への着火ミスを少なくできるとともに、着火ミス以外の燃焼器５の異常に迅速に対応できる。また、着火器１０３の作動がＯＦＦされた後、フレームロッド１０２による検知動作がなされているので、フレームロッド１０２において着火器１０３の作動（スパーク放電）ノイズを拾うことが無くなり、このようなノイズに弱いフレームロッド１０２については有益である。
【００５７】
次に、図４の着火シーケンスの内容について説明する。なお、以下の説明は、図３の着火シーケンスと異なる内容に限定する。
【００５８】
図３の着火シーケンスでは、フレームロッド１０２の出力が、燃焼器５の燃焼判定の閾値に相当する「設定値」を超えているか否かの判定（ステップＳ３１０）に先立って、ステップＳ３０９において、着火器１０３の作動がＯＦＦされている。
【００５９】
しかし、着火器１０３の作動ノイズ耐性に優れたフレームロッド１０２を使用する場合には、図４の着火シーケンスのステップＳ４０９に示すように、着火器１０３の作動ＯＮ中に、フレームロッド１０２の検知動作を実行してもよく、その後、ステップＳ４１０において着火器１０３の作動をＯＦＦしてもよい。
【００６０】
なお、図４の着火シーケンスの変形例として、フローチャートを用いた説明は省略するが、ステップＳ４１０における着火器１０３の作動ＯＦＦ動作、及びステップＳ４１１における原料供給停止動作を省き、着火トライの繰り返し期間中、着火器１０３の作動ＯＮ状態及び原料供給器３による原料供給を継続させ続けてもよい。この場合、２回目以降の着火トライにおいては、ステップ４０５の着火器の作動ＯＮ動作も省略できる。よって、ここでは、上限着火回数「ＮＭＡＸ」は、正確には、ステップＳ４０３〜ステップＳ４１２間の上限反複回数「ＮＭＡＸ」となる。
【００６１】
次に、本実施の形態の水素生成装置１００等における特徴的な動作である、脱硫器４の交換を考慮した場合の燃焼器５の着火シーケンスについて述べる。
【００６２】
脱硫器４の交換をしない場合には、図３および図４の着火シーケンスに何等の支障も発生しないが、脱硫器４の交換をする場合、事情が異なる。
【００６３】
まず、脱硫器４の交換をした場合に、図３および図４の着火シーケンスを用いる際の不都合について図面を参照しながら詳しく説明する。
【００６４】
図５は、着火器による着火動作の際のフレームロッド出力の経時変化の一測定例を示した図である。なお、ここでは、着火器１０３による着火動作は継続的になされているものと仮定する。
【００６５】
図５の横軸に、着火器１０３による着火動作の開始時から経過時間をとり、縦軸にフレームロッド出力をとって、両者の関係が、脱硫器４の交換後初めての燃焼動作における着火動作の場合（破線）とそうでない通常の燃焼動作における着火動作の場合（実線）とについて示されている。但し、フレームロッド出力には、その上限値「５（−）」が設定されている。
【００６６】
燃焼空間５２において原料の燃焼が検知されると（つまり、原料への着火が検知されると）、フレームロッド出力は「０」よりも大きくなる。また、フレームロッド出力「１（−）」以上であれば、燃焼空間５２において原料の燃焼が安定的になされていると考えられる。
【００６７】
図５に示すように、脱硫器４の交換後初めての燃焼動作における着火動作の場合（破線）とそうでない通常の燃焼動作における着火動作の場合（実線）では、フレームロッド出力が「１（−）」を超えるタイミングにずれが生じることが分かる。つまり、通常の燃焼動作における着火動作と比較して、脱硫器４の交換後初めての燃焼動作における着火動作では、フレームロッド出力が「１（−）」を超えるタイミングに到達するまでには長い時間を要している。脱硫器４の交換後の原料に曝されていない脱硫剤は、高い吸着能力を保有しているので、最初の原料通流時には、原料中の硫黄化合物の他、原料自体も一部、吸着される。よって、燃焼空間５２に供給される原料量の低下が招かれ、燃焼空間５２において原料と燃焼空気との混合気が燃焼範囲に入るまでの時間（つまり、フレームロッド出力が「１（−）」を超えるタイミングに到達するまでの時間）が長くなると考えられる。
【００６８】
そこで、図５の横軸の経過時間と縦軸のフレームロッド出力の測定値に基づいて、着火器１０３の作動をＯＮ−ＯＦＦする場合の上限着火回数「ＮＭＡＸ」を、以下の如く見積もることができる。
【００６９】
図５の実線で示した通常の燃焼動作のおける着火動作の場合、原料供給器３から排出された原料が燃焼器５に到達するには若干の時間ロスがあるので、着火動作の開始と連動して、フレームロッド出力が直ぐに立ち上がらないが、燃焼器５の原料燃焼は、着火動作の開始から短時間で安定になっている。よって、この場合、第１回目の着火トライにより、フレームロッド出力が「１（−）」を超えると予測される。このため、上限着火回数「ＮＭＡＸ」を、「５回」程度に設定すれば、燃焼器５の原料燃焼は支障なく安定化すると期待できる。
【００７０】
一方、図５の破線で示した脱硫器４の交換後初めての燃焼動作における着火動作の場合、上述の理由により、燃焼器５の原料燃焼は、着火動作の開始時から約５分経過した後に安定になっている。よって、この場合、第１０回目の着火トライにより、フレームロッド出力が「１（−）」を超えると予測される。このため、上限着火回数「ＮＭＡＸ」を、「１５回」程度に設定すれば、燃焼器５の原料燃焼は支障なく安定化すると期待できる。
【００７１】
ここで、図３および図４の着火シーケンスにおいて、上限着火回数「ＮＭＡＸ」を「１５回」に設定すれば、通常の燃焼動作における着火動作の場合にも脱硫器４の交換後初めての燃焼動作における着火動作の場合にも、燃焼器５の原料燃焼を支障なく行える。しかし、通常の燃焼動作における着火動作の場合、第１回目の着火トライで燃焼器５の原料燃焼を安定化できるにも拘らず、上限着火回数「ＮＭＡＸ」を「１５回」に設定することは、原料着火ミス以外の燃焼器５の異常の察知を遅らせかねない。そして、このことが、当該異常に対する迅速な対応を妨げ、ひいては、水素生成装置１００等の適切な復帰を阻害する場合がある。
【００７２】
よって、本実施の形態では、図６および図８の着火シーケンスに示す如く、脱硫器４の交換後初めての燃焼動作での着火動作において、上述の脱硫器４による原料吸着の事態を想定して、上限着火回数「ＮＭＡＸ」が「５回」から「１５回」に変更されている。
【００７３】
図６は、脱硫器交換を考慮した場合の燃焼器の着火シーケンスの一例を示したフローチャートである。図７は、図６の着火シーケンスにおける変更指示取得器の操作画面の一例である交換信号取得器を示した図である。
【００７４】
図８は、脱硫器交換を考慮した場合の燃焼器の着火シーケンスの他の例を示したフローチャートである。図９は、図８の着火シーケンスにおける変更指示取得器の操作画面の一例を示した図である。
【００７５】
まず、図６の着火シーケンスの内容について説明する。但し、図６のステップＳ６０５〜ステップＳ６１７の動作は、図３のステップＳ３０１〜ステップＳ３１３と同じなので、ここでは、これらの動作説明は省略する。
【００７６】
当該着火シーケンスでは、制御器８の内部メモリーに保存された制御プログラムが、制御器８のＣＰＵに読み込まれる。そして、この制御プログラムにより制御されるＣＰＵが、水素生成装置１００等の各種機器を制御しながら、以下の処理を実行する。
【００７７】
なお、交換信号取得器は、図７に示されたタッチパネル式の操作画面であり、作業者による操作画面の画面タッチ操作により入力された信号に基づき、以下の処理が実行できる。
【００７８】
また、ここでは、通常の燃焼動作における着火動作を標準動作と見做して、上限着火回数「ＮＭＡＸ」の初期値は、「５回」に設定されている。作業者は、脱硫器４の交換作業に入る場合には、例えば、図７（ａ）の「サブメニュー」のタッチ操作および図７（ｂ）の「脱硫器」のタッチ操作を行い、図７（ｃ）に示される操作画面の「交換」のタッチ操作を行い、そして、脱硫器４の交換作業完了の後、図７（ｄ）に示される操作画面の「確認」のタッチ操作を行う。すると、脱硫器交換信号が「ＯＮ」であることが制御器８内部のメモリーに記憶される。その後、作業者の操作画面を介した操作により水素生成装置もしくはこれを備える燃料電池システムの起動指令が入力されると、まず、脱硫器交換信号がＯＮおよびＯＦＦの何れであるかが判定される（ステップＳ６０１）。
【００７９】
ステップＳ６０１において脱硫器交換信号がＯＮである場合、このＯＮ信号が、脱硫器交換後初めての燃焼動作に対応する上限着火回数に変更する変更指示信号として制御器８のＣＰＵに入力される。
【００８０】
ステップＳ６０１において脱硫器交換信号がＯＮである場合、制御器８のＣＰＵは、この脱硫器交換ＯＮ信号に基づいて、上限着火回数「ＮＭＡＸ」を「５回」から脱硫器交換後初めての燃焼動作に対応する上限着火回数「１５回」に上げる（ステップＳ６０２）。すると、脱硫器交換信号がＯＦＦとなり（ステップＳ６０４）、制御器８のＣＰＵは、ステップＳ６０５以降の動作を実行する。
【００８１】
この操作により、次回以降の起動動作は、ステップＳ６０１において脱硫器交換信号がＯＦＦと判断され、制御器８のＣＰＵは、上限着火回数「ＮＭＡＸ」を通常の燃焼動作に対応する上限着火回数「５回」にして（ステップＳ６０３）、ステップＳ６０５以降の動作を実行する。
【００８２】
なお、上述のとおり、制御器８のＣＰＵは、ステップＳ６０１において交換信号取得器より取得された脱硫器交換ＯＮ信号に基づいて、ステップＳ６０２の如く、「着火確認時間」の上限に相当する上限着火回数「ＮＭＡＸ」を通常の燃焼動作における上限着火回数よりも多い回数に変更している。よって、本処理では、当該制御器８のＣＰＵは、着火確認時間の上限を変更する上限変更器として機能するし、当該交換信号取得器は、この変更の指示に関連する信号を取得する変更指示取得器１０１として機能する。
【００８３】
次に、図８の着火シーケンスの内容について説明する。但し、図８のステップＳ８０５〜ステップＳ８１７の動作は、図３のステップＳ３０１〜ステップＳ３１３と同じなので、ここでは、これらの動作説明は省略する。
【００８４】
当該着火シーケンスでは、制御器８の内部メモリーに保存された制御プログラムが、制御器８のＣＰＵに読み込まれる。そして、この制御プログラムにより制御されるＣＰＵが、水素生成装置１００等の各種機器を制御しながら、以下の処理を実行する。
【００８５】
なお、変更指示取得器１０１は、図９に示されたタッチパネル式の操作画面であり、作業者による操作画面の画面タッチ操作により入力された信号に基づき、以下の処理を実行できる。
【００８６】
なお、ここでは、通常の燃焼動作における着火動作を標準動作と見做して、上限着火回数「ＮＭＡＸ」の初期値は、「５回」に設定されている。
【００８７】
例えば、作業者は、図９（ａ）の「サブメニュー」のタッチ操作および図９（ｂ）の「着火回数上限設定」のタッチ操作を行い、図９（ｃ）に示される操作画面の「脱硫器交換後運転」のタッチ操作を行い、そして、脱硫器４の交換作業完了の後、図９（ｄ）に示される操作画面の「確認」のタッチ操作を行う。すると、運転シーケンスが「脱硫器交換後運転」であることが制御器８内のメモリーに記憶される。その後、作業者の操作画面を介した操作により水素生成装置もしくはこれを備える燃料電池システムの起動指令が入力されると、まず、運転シーケンスが脱硫器交換後運転および通常運転の何れであるかが判定される（ステップＳ８０１）。
【００８８】
ステップＳ８０１において運転シーケンスが脱硫器交換後運転である場合、この「脱硫器交換後運転」であることを示す信号が、脱硫器交換後初めての燃焼動作に対応する上限着火回数に変更する変更指示信号として、制御器８のＣＰＵに入力される。
【００８９】
また、ステップＳ８０１において運転シーケンスが脱硫器交換後運転である場合、制御器８のＣＰＵは、上記変更指示信号に基づいて、上限着火回数「ＮＭＡＸ」を「５回」から脱硫器交換後初めての燃焼動作に対応する上限着火回数「１５回」に上げる（ステップＳ８０２）。そして、制御器８のＣＰＵは、ステップＳ８０５以降の動作を実行する。
【００９０】
一方、脱硫器４の交換後初めての燃焼動作を含む水素生成装置等の運転が完了すると、作業者は、図９（ｃ）に示される操作画面の「通常運転」のタッチ操作を行う。すると、ステップＳ８０１において運転シーケンスが「通常運転」となり、次回以降の起動動作では、ステップＳ８０１において、制御器８のＣＰＵは、上限着火回数「ＮＭＡＸ」を通常の燃焼動作に対応する上限着火回数「５回」に戻して（ステップＳ８０３）、ステップＳ８０５以降の動作を実行する。
【００９１】
なお、上述のとおり、制御器８のＣＰＵは、ステップＳ８０１において変更指示取得器１０１より取得された変更指示信号に基づいて、ステップＳ８０２の如く、「着火確認時間」の上限に相当する上限着火回数「ＮＭＡＸ」を変更している。よって、本処理では、当該制御器８のＣＰＵは、着火確認時間の上限を変更する上限変更器として機能する。
【００９２】
以上に述べたように、本実施の形態の水素生成装置１００等は、着火器１０３の上限着火回数「ＮＭＡＸ」を変更する上限変更器と、この変更の指示に関連する信号を取得する変更指示取得器１０１とを備える。具体的には、本実施の形態では、作業者により「脱硫器交換後運転」が選択され、変更指示取得器１０１が、脱硫器交換後初めての燃焼動作に対応する上限着火回数に変更する変更指示信号を取得した場合、上限変更器としての制御器８のＣＰＵが上限着火回数「ＮＭＡＸ」を「５回」から「１５回」に上げるように構成されている。
【００９３】
これにより、吸着型脱硫器を通した原料を用いて燃焼器５の燃焼開始がなされる水素生成装置１００等において、脱硫器４の交換後の起動動作においても燃焼不良と誤判定することなく適切に燃焼動作を開始することができる。
【００９４】
つまり、脱硫器４の交換後の原料に曝されていない脱硫剤は、高い吸着能力を保有しているので、最初の原料通流時には、原料中の硫黄化合物の他、原料自体も一部、吸着される。よって、燃焼空間５２に供給される原料量の低下が招かれ、燃焼空間５２での原料と燃焼空気との混合気が燃焼範囲に入るまでの時間（つまり、フレームロッド出力が「１（−）」を超えるタイミングに到達するまでの時間）が長くなると考えられる。このため、脱硫器４の交換後初めての燃焼動作での着火動作において、上限着火回数「ＮＭＡＸ」を、「１５回」程度に充分多めにとれば、燃焼器５の原料燃焼は支障なく安定化すると期待できる。一方、通常の燃焼動作での着火動作において、上限着火回数「ＮＭＡＸ」を「５回」程度に抑えて設定すれば、原料着火ミス以外の燃焼器５の異常の迅速な察知を可能にする。これにより、当該異常に対する復帰動作など適切な対応を迅速に取ることができる。
【００９５】
なお、脱硫器４中の脱硫剤の原料吸着量は、脱硫剤の種類や、脱硫器４に充填する脱硫剤の量により依存する。また、原料供給器３から燃焼器５への原料到達時間やフレームロッド出力が「１（−）」を超えるタイミングも、水素生成装置１００等の装置構成に依存して相違する。このため、上限着火回数「ＮＭＡＸ」の具体的な数値やタイマー時間などを、装置ごとに適宜設定する必要がある。
（変形例１）
図１０は、燃焼器の着火シーケンスの一変形例を示したフローチャートである。
【００９６】
本実施の形態の水素生成装置１００等では、着火器１０３の上限着火回数「ＮＭＡＸ」を変更する例を述べた。これに代えて、図１０に示す如く、脱硫器４を通過し、燃焼器５へ供給される原料に対して着火器１０３が動作している時間（ステップＳ１０１１からステップＳ１０１３までの時間）である、ステップＳ１０１２のタイマー時間「Ｙ秒」を変更してもよい。なお、ここでは、通常の燃焼動作における着火動作を標準動作と見做して、上限着火回数「ＮＭＡＸ」の値は、「５回」に設定され、タイマー時間「Ｙ秒」の初期値は、「２０秒」に設定されている。
【００９７】
図１０によれば、脱硫器交換時に作業者により図７（ｃ）の操作がなされた後、水素生成装置もしくはこれを備える燃料電池システムの起動指令が入力され、ステップＳ１００１において脱硫器交換信号がＯＮとなった場合、制御器８のＣＰＵは、この脱硫器交換信号に基づいて、タイマー時間「Ｙ秒」を「２０秒」から「６０秒」に上げる（ステップＳ１００２）。
【００９８】
一方、ステップＳ１００２でタイマー時間が変更された後、脱硫器交換信号はＯＦＦされるので、次回以降の起動動作では、ステップＳ１００１において脱硫器交換信号がＯＦＦと判断され、制御器８のＣＰＵは、タイマー時間「Ｙ秒」を「２０秒」にして（ステップＳ１００３）、ステップＳ１００５以降の動作を実行する。
【００９９】
これにより、吸着型脱硫器４を通した原料を用いて燃焼器５の燃焼開始がなされる水素生成装置１００等において、脱硫器４の交換後初めての起動動作においても燃焼不良と誤判定することなく適切に燃焼動作を開始することができる。
【０１００】
つまり、脱硫器４の交換後初めての燃焼動作での着火動作において、脱硫器４内を通過し、燃焼器５に供給される原料に対する着火器１０３の着火トライ毎の着火動作時間を多くすれば、上限着火回数「ＮＭＡＸ」の回数を増やす場合と同じ効果が発揮される。なお、この場合、着火器１０３の「着火確認時間」の上限として、タイマー時間「Ｙ秒」に、上限着火回数「ＮＭＡＸ」を乗じた数値が採用される。
（変形例２）
図１１は、燃焼器の着火シーケンスの他の一変形例を示したフローチャートである。
【０１０１】
本実施の形態の水素生成装置１００等では、着火器１０３の上限着火回数「ＮＭＡＸ」を変更する例を述べた。これに代えて、図１１に示す如く、上限着火回数「ＮＭＡＸ」を変更するとともに、脱硫器４を通過し、燃焼器５へ供給される原料に対して着火器１０３が動作している時間（ステップＳ１１１３からステップＳ１１１５までの時間）であるステップＳ１１１４のタイマー時間「Ｙ秒」を変更してもよい。なお、ここでは、通常の燃焼動作での着火動作を標準動作と見做して、上限着火回数「ＮＭＡＸ」の初期値は、「５回」に設定され、タイマー時間「Ｙ秒」の初期値は、「２０秒」に設定されている。
【０１０２】
図１１によれば、脱硫器交換時に作業者により図７（ｃ）の操作がなされた後、水素生成装置もしくはこれを備える燃料電池システムの起動指令が入力され、ステップＳ１１０１において脱硫器交換信号がＯＮとなった場合、制御器８のＣＰＵは、この脱硫器交換信号に基づいて、タイマー時間「Ｙ秒」を「２０秒」から「３０秒」に上げ、かつ、上限着火回数「ＮＭＡＸ」を「５回」から「１０回」に上げる（ステップＳ１１０２、Ｓ１１０３）。
【０１０３】
一方、ステップＳ１１０２、Ｓ１１０３でタイマー時間及び上限着火回数が変更された後、脱硫器交換信号はＯＦＦされるので、次回以降の起動動作では、ステップＳ１１０１において脱硫器交換信号がＯＦＦと判断され、制御器８のＣＰＵは、タイマー時間「Ｙ秒」を「２０秒」、かつ、上限着火回数「ＮＭＡＸ」を「５回」にして（ステップＳ１１０４、Ｓ１１０５）、ステップＳ１１０７以降の動作を実行する。
【０１０４】
これにより、吸着型脱硫器４を通した原料を用いて燃焼器５の燃焼開始がなされる水素生成装置１００等において、脱硫器４の交換後初めての起動動作においても燃焼不良と誤判定することなく適切に燃焼動作を開始することができる。
【０１０５】
つまり、脱硫器４の交換後初めての燃焼動作での着火動作において、脱硫器４内を通過し、燃焼器５に供給される原料に対する着火器１０３の着火トライ毎の着火動作時間を多くするとともに、上限着火回数「ＮＭＡＸ」の回数を増やすことにより、上述の効果が発揮される。なお、この場合、着火器１０３の「着火確認時間」の上限として、タイマー時間「Ｙ秒」に、上限着火回数「ＮＭＡＸ」を乗じた数値が採用される。
（変形例３）
上述の実施の形態では、交換信号取得器として、タッチパネル式の操作画面を例示した。しかし、このようなタッチパネルによる脱硫器４の交換信号取得は飽くまで一例に過ぎない。本変形例では、例えば、交換信号取得器として、脱硫器４の交換を機械的な接点スイッチで検知するセンサであってもよい。また、ＩＣタグやＩＣタグリーダ等を用いて脱硫器４が交換されたことを検出する方式であってもよい。
【０１０６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１０７】
本発明の水素生成装置は、脱硫器の交換後の起動動作においても燃焼不良と誤判定することなく脱硫器を通過した原料を用いた燃焼動作を適切に開始することが可能になる、例えば、この水素生成装置を備えた家庭用燃料電池コージェネシステム等として有用である。
【図面の簡単な説明】
【０１０８】
【図１】図１は、本発明の実施の形態における燃料電池システムの構成例を示したブロック図である。
【図２】図２は、図１の燃焼器の構成例を説明するための模式図である。
【図３】図３は、脱硫器交換を想定しない場合の燃焼器の着火シーケンスの一例を示したフローチャートである。
【図４】図４は、脱硫器交換を想定しない場合の燃焼器の着火シーケンスの他の例を示したフローチャートである。
【図５】図５は、着火器による着火動作の際のフレームロッド出力の経時変化の一測定例を示した図である。
【図６】図６は、脱硫器交換を想定した場合の燃焼器の着火シーケンスの一例を示したフローチャートである。
【図７】図７は、図６の着火シーケンスにおける変更指示取得器の操作画面の一例である交換信号取得器を示した図である。
【図８】図８は、脱硫器交換を想定した場合の燃焼器の着火シーケンスの他の例を示したフローチャートである。
【図９】図９は、図８の着火シーケンスにおける変更指示取得器の操作画面の一例を示した図である。
【図１０】図１０は、燃焼器の着火シーケンスの変形例を示したフローチャートである。
【図１１】図１１は、燃焼器の着火シーケンスの他の変形例を示したフローチャートである。
【符号の説明】
【０１０９】
１  改質器
２  水供給器
３  原料供給器
４  脱硫器
４ａ  閉止弁
５  燃焼器
６  燃焼ファン
７  燃料電池
８  制御器
９  ガスインフラライン
１０  水素ガス供給経路
１１  オフガス経路
１２  流路変更弁
５０  ディストリビュータ
５１  空気室
５２  燃焼空間
５３  壁部
１０１  変更指示取得器
１０２  燃焼検知器（フレームロッド；ＦＲ）
１０３  着火器
１００  水素生成装置
２００  燃料電池システム
【手続補正３】
【補正対象書類名】図面
【補正対象項目名】全図
【補正方法】変更
【補正の内容】
【図１】
2007148699.tif 000014
【図２】
2007148699.tif 000015
【図３】
2007148699.tif 000016
【図４】
2007148699.tif 000017
【図５】
2007148699.tif 000018
【図６】
2007148699.tif 000019
【図７】
2007148699.tif 000020
【図８】
2007148699.tif 000021
【図９】
2007148699.tif 000022
【図１０】
2007148699.tif 000023
【図１１】
2007148699.tif 000024
【国際調査報告】
2007148699.tif 000025
2007148699.tif 000026